(57)【要約】【課題】内視鏡を洗滌する際の内視鏡の挿入部管路への洗滌用ブラシの挿入を容易にする。【解決手段】内視鏡の吸引シリンダ６の開口端部に着脱可能な洗滌用ブラシ案内具１００が洗滌用ホース１３９の先端接手部１３１を挿入抜脱可能な頂部開口１１１と、頂部開口１１１から底部開口１１１ａへ延びる第１透孔１１３と、頂部開口１１１を開閉可能なスライド式の蓋１０２とを有する。第１透孔１１３には、周面の一部がくぼむことによって頂部開口１１１の縁部から底面部１０４の方向へ傾斜して延びるブラシ案内溝１２０が形成される。案内溝１２０は、蓋１０２が頂部開口１１１を閉じたときに、案内溝１２０の頂部１２８に洗滌用ブラシ３２を挿入可能な程度の開口が残されるように形成される。【選択図】      図６
2005058258.tif 000002
【特許請求の範囲】
【請求項１】
内視鏡の操作部に形成された吸引シリンダの開口端部に着脱可能かつ、前記吸引シリンダへの洗滌用ブラシの挿入を案内することが可能な案内具であって、
前記案内具が、前記洗滌用ブラシと前記洗滌用ブラシが進出・退却可能に納まる洗滌用ホースの先端接手部とを挿入抜脱可能な頂部開口を形成された頂面部と、前記吸引シリンダの開口端部に着脱可能な底部開口を形成された底面部とを有し、前記頂部開口と底部開口との間には、前記先端接手部が抜脱可能に嵌合する直状の第１透孔が延在し、前記第１透孔の内周面には前記内周面の一部がくぼむことによって前記頂部開口の縁部から前記底面部方向へ傾斜して延びるブラシ案内溝が形成されており、前記頂面部には、一方向への前進とその逆方向への後退とによって前記頂部開口を開閉可能なスライド式の蓋が設けられ、前記蓋が前記逆方向へばね付勢下に後退して前記頂部開口をほぼ閉じているときに、前記ブラシ案内溝の頂部には前記ブラシを挿入可能な程度に開口が残されていることを特徴とする前記案内具。
【請求項２】
前記案内具には、前記底面部において前記内視鏡の送気・送水シリンダの開口端部に着脱可能であり、前記頂面部において前記送気・送水シリンダへの連結用ホースの先端接手部が抜脱可能に嵌合する第２透孔が形成され、前記第２透孔が前記頂部開口よりも前記蓋の前進方向前方に位置しており、前記蓋が後退したときに前記第２透孔を閉じ、前進したときに前記第２透孔を開くように形成されている請求項１に記載の案内具。
【請求項３】
前記洗滌用ホースの先端接手部は、前記頂面部上方に位置して前記洗滌用ホースにおける先端接手部の周方向へ延びる溝部を有し、前記第１透孔に嵌合した状態において、前記蓋が前記後退方向から前記溝部に進入して前記洗滌用ホースの先端接手部の前記第１透孔からの抜脱を阻止可能である請求項１または２に記載の案内具。
【請求項４】
前記蓋は、前記第２透孔に嵌合している前記連結用ホースの先端接手部に形成されて前記連結用ホースにおける先端接手部の周方向に延びる溝部にも前記後退方向から進入して前記連結用ホースの前記第２透孔からの抜脱をも阻止可能である請求項１〜３のいずれかに記載の案内具。
【請求項５】
前記案内具を複数種類の内視鏡に使用し得るように、前記底面部は、前記複数種類の内視鏡それぞれにおける前記吸引シリンダの開口端部の形状に対応して用意された複数種類のアタッチメント部材を着脱可能に形成されている請求項１〜４のいずれかに記載の案内具。
【請求項６】
前記アタッチメント部材が前記送気・送水用シリンダの開口端部の形状にも対応するように用意されている請求項５記載の案内具。
【請求項７】
前記第１透孔と前記第２透孔の少なくとも一方は、それに嵌合する前記洗滌用ホースの先端接手部と前記連結用ホースの先端接手部との少なくとも一方の先端部分が前記案内具の前記底面部から延出することがないように前記少なくとも一方の先端接手部に作用するストッパ手段を有している請求項２〜６のいずれかに記載の案内具。
【請求項８】
前記連結用ホースの一端部には吸水口に接続可能なワンタッチカプラが取り付けられている請求項２〜７のいずれかに記載の案内具。
【請求項９】
前記請求項２に記載の案内具を内視鏡の吸引シリンダと送気・送水シリンダとの開口端部に取り付けて前記案内具を使用する方法であって、前記第２透孔に嵌合した前記連結用ホースの先端接手部の先端部分を前記底面部から前記送気・送水シリンダへ進入させて、前記送気・送水シリンダの内周面に抜脱可能に密着させることを特徴とする前記方法。
【発明の詳細な説明】
【０００１】
【発明の属する技術分野】
この発明は、内視鏡洗滌用ブラシを内視鏡の吸引シリンダへ挿入するときに使用する案内具およびその使用方法に関する。
【０００２】
【従来の技術】
特開平６−３０８９９号公報（特許文献１）に開示された内視鏡洗滌装置では、ブラシ導入管の一端が管路連結具に連結され、この管路連結具の第２ポートが給水路と槽内コネクタと接続管とを介して洗滌槽内部にセットされた内視鏡のチャンネルに連結されている。この装置では、ブラシ導入管に挿入されたブラシが管路連結具を通って内視鏡のチャンネルにまで自動的に進入する。
【０００３】
また、特開平８−２７５９１７号公報（特許文献２）に開示された内視鏡の掃除用ブラシ自動挿入装置では、掃除用ブラシの可撓軸が一対の案内用ローラに挟まれた後にブラシ案内路を通って内視鏡の管路の入り口にまで延びている。ブラシ案内路の先端には内視鏡の操作部に設けられたシリンダの開口部に着脱可能なアダプタがあることによって、ブラシ案内路が管路の入口と滑らかにつながっている。前進用モータの作用によって送り出されるブラシは、アダプタを通り、内視鏡の管路を自動的に前進することができる。
【０００４】
【特許文献１】
特開平６−３０８９９号公報
【特許文献２】
特開平８−２７５９１７号公報
【０００５】
【発明が解決しようとする課題】
内視鏡の吸引シリンダは、操作部に位置する開口部のすぐ内側で、挿入部管路とユニバーサルコード部管路とに分かれている。ユニバーサルコード部管路は、開口端部から直進するように延びているが、挿入部管路は、そのユニバーサルコード部管路から枝分れするように斜めに延びている。それゆえ、洗滌用ブラシを開口端部に挿入すると、通常はブラシがユニバーサルコード部管路に進入して、挿入部管路へは進入することがない。しかし、内視鏡の洗滌では、吸引ボタンの取り付け座である前記開口部から内視鏡先端へ向かう挿入部管路とユニバーサルコード部管路とのそれぞれにブラシを挿入してブラッシングをしなければならない。しかし、前記特許文献１，２に開示の装置は、吸引ボタンの取り付け座から吸引シリンダへのブラシの挿入を容易にするものではあっても、挿入部管路へのブラシの挿入を確実にしたり容易にしたりするものではない。これら従来の装置では、通常手作業によって、または適宜の治具を使用しながらの手作業によって、ブラシの先端を斜めに延びた挿入部管路へ挿入しなければならない。
【０００６】
この発明は、前記従来の装置に見られるようなブラシを挿入部管路へ挿入するための煩雑な手作業を不要とすることが課題である。
【０００７】
【課題を解決するための手段】
前記課題を解決するためにこの発明が対象とするのは、内視鏡の操作部に形成された吸引シリンダの開口端部に着脱可能かつ、前記吸引シリンダへの洗滌用ブラシの挿入を案内することが可能な案内具とその使用方法である。
【０００８】
かかる案内具において、この発明が特徴とするところは、次のとおりである。前記案内具が、前記洗滌用ブラシと前記洗滌用ブラシが進出・退却可能に納まる洗滌用ホースの先端接手部とを挿入抜脱可能な頂部開口を形成された頂面部と、前記吸引シリンダの開口端部に着脱可能な底部開口を形成された底面部とを有する。前記頂部開口と底部開口との間には、前記先端接手部が抜脱可能に嵌合する直状の第１透孔が延在し、前記第１透孔の内周面には前記内周面の一部がくぼむことによって前記頂部開口の縁部から前記底面部方向へ傾斜して延びるブラシ案内溝が形成されている。前記頂面部には、一方向への前進とその逆方向への後退とによって前記頂部開口を開閉可能なスライド式の蓋が設けられる。前記蓋は、前記逆方向へばね付勢下に後退して前記頂部開口をほぼ閉じているときに、前記ブラシ案内溝の頂部には前記ブラシを挿入可能な程度に開口が残されている。
【０００９】
この発明には、次のような好ましい実施態様がある。
（１）前記案内具には、前記底面部において前記内視鏡の送気・送水シリンダの開口端部に着脱可能であり、前記頂面部において前記送気・送水シリンダへの連結用ホースの先端接手部が抜脱可能に嵌合する第２透孔が形成され、前記第２透孔が前記頂部開口よりも前記蓋の前進方向前方に位置しており、前記蓋が後退したときに前記第２透孔を閉じ、前進したときに前記第２透孔を開くように形成されている。
（２）前記洗滌用ホースの先端接手部は、前記頂面部上方に位置して前記洗滌用ホースにおける先端接手部の周方向へ延びる溝部を有し、前記第１透孔に嵌合した状態において、前記蓋が前記後退方向から前記溝部に進入して前記洗滌用ホースの先端接手部の前記第１透孔からの抜脱を阻止可能である。
（３）前記蓋は、前記第２透孔に嵌合している前記連結用ホースの先端接手部に形成されて前記連結用ホースにおける先端接手部の周方向へ延びる溝部にも前記後退方向から進入して前記連結用ホースの前記第２透孔からの抜脱をも阻止可能である。
（４）前記案内具を複数種類の内視鏡に使用し得るように、前記底面部は、前記複数種類の内視鏡それぞれにおける前記吸引シリンダの開口端部の形状に対応して用意された複数種類のアタッチメント部材を着脱可能に形成されている。
（５）前記アタッチメント部材は、前記送気・送水用シリンダの開口端部の形状にも対応するように用意されている。
（６）前記第１透孔と前記第２透孔の少なくとも一方は、それに嵌合する前記洗滌用ホースの先端接手部と前記連結用ホースの先端接手部との少なくとも一方の先端部分が前記案内具の前記底面部から延出することがないように前記少なくとも一方の先端接手部に作用するストッパ手段を有している。
（７）前記連結用ホースの一端部には吸水口に接続可能なワンタッチカプラが取り付けられている。
【００１０】
また、使用方法に係るこの発明が対象とするのは、前記請求項２に記載の案内具を内視鏡の吸引シリンダと送気・送水シリンダとの開口端部に取り付けて前記案内具を使用する方法である。
【００１１】
かかる使用方法において、この発明が特徴とするところは、前記第２透孔に嵌合した前記連結用ホースの先端接手部の先端部分を前記底面部から前記送気・送水シリンダへ進入させて、前記送気・送水シリンダの内周面に抜脱可能に密着させること、にある。
【００１２】
【発明の実施の形態】
添付の図面を参照して、この発明に係る内視鏡洗滌用ブラシの挿入案内具の詳細を説明すると、以下のとおりである。
【００１３】
図１に斜視図で示された内視鏡１は、操作部２と、操作部２から図の下方へ延びる挿入部３と、操作部２から図の左方へ延びるユニバーサルコード部４とを有する。操作部２は、吸引シリンダ６における吸引ボタン挿入口７と、送気・送水シリンダ８の送気・送水ボタン挿入孔９と、鉗子挿入口１１とを有し、これらには、吸引ボタン１２、送気・送水ボタン１３、鉗子栓１４が取り外し可能にセットされる。操作部２には、その他にアングルノブ１６，１７やアングル解除ノブ１８，１９等が設けられている。
【００１４】
図２は、内視鏡１の断面構造の概略と、内視鏡１の自動洗滌プロセスの一例を示す図である。内視鏡１の操作部２の鉗子挿入口１１からは内視鏡１の挿入部３の先端に向かって鉗子管路（鉗子チャネルともいう）７６が延びている。吸引ボタン１２の挿入口７から延びる吸引シリンダ６は、鉗子管路７６に交差部位７７でつながる挿入部管路７８と、先端に吸引コネクタ７９を有するユニバーサルコード部管路８１とに分かれている。この内視鏡１の内部を洗滌するには、鉗子挿入口１１から鉗子管路７６へ第１洗滌用ブラシ３１を挿入する。吸引ボタン挿入口７では、ボタン１２を抜いて、第２洗滌用ブラシ３２を挿入口７から挿入部管路７８へ挿入する。しかる後に、洗滌槽（図示せず）の給水路からアルカリ水、酸性水または水道水いずれかの洗滌水を、必要なら洗剤とともに、内視鏡１の鉗子管路７６と挿入部管路７８へ供給する。それと同時に、ブラシ送り用モータ（図示せず）を始動させて、第１、２洗滌用ブラシ３１，３２を矢印９１，９２方向へ徐々に前進させながら管路７６、管路７８をブラッシングする。モータは、第２洗滌用ブラシ３２が鉗子管路７６と挿入部管路７８との交差部位７７に到達すると、その第２洗滌用ブラシ３２を矢印９３方向へ、吸引ボタン挿入口７にまで後退させるように設定されている。後退した第２洗滌用ブラシ３２は、その先端が挿入部管路７８から抜けて、挿入口７の直下から下方へ延びるユニバーサルコード部管路８１に向かう。モータは、第１、第２洗滌用ブラシ３１，３２が再び前進する方向へ始動するように設定されており、前進する第１洗滌用ブラシ３１は再び鉗子管路７６をブラッシングする一方、第２洗滌用ブラシ３２は下方へ直進してユニバーサルコード部管路８１へ進入し、この管路８１をブラッシングする。さらにモータは、第１洗滌用ブラシ３１と第２洗滌用ブラシ３２とが鉗子管路７６とユニバーサルコード部管路８１とのそれぞれを全長にわたってブラッシングしたときに停止し、次いでこれら第１、第２洗滌用ブラシ３１，３２が内視鏡１の外にまで戻るように回転する。
【００１５】
図２に示されているように、ユニバーサルコード部管路８１は、吸引ボタン挿入口７からほぼ直状に下方へ延びているが、挿入部管路７８はユニバーサルコード部管路８１から枝分れするように斜め下方へ延びた後に図の右方へ向かっている。それゆえ、第２洗滌用ブラシ３２は、それが吸引ボタン挿入口７へ進入すると、ユニバーサルコード部管路８１を直進し、挿入部管路７８へ進むことがない。
【００１６】
図３、４、５は、この発明に係る洗滌用ブラシの挿入案内具１００の斜視図と、分解斜視図と、図３のＶ−Ｖ線断面図である。案内具１００は、図２で説明された内視鏡１の洗滌に先立って図２の内視鏡１に取り付けられ、第２洗滌用ブラシ３２の挿入部管路７８への挿入を容易にすることができるもので、本体１０１と蓋１０２とを有する。
【００１７】
本体１０１は、頂面部１０３と、その反対側である底面部１０４と、一対の側面部１０６ａ，１０６ｂと、前端面部１０７ａと、後端面部１０７ｂとを有する。頂面部１０３には、径の小さい第１頂部開口１１１と、径の大きい第２頂部開口１１２とが形成され、これら第１、第２頂部開口１１１，１１２のそれぞれからは底面部１０４に形成された第１底部開口１１１ａと第２底部開口１１２ａ（図５参照）とに向かって第１透孔１１３と第２透孔１１４とが延びている。頂面部１０３の側縁部分には側面部１０６ａ，１０６ｂのそれぞれに沿って延びるスライド溝１１６ａ，１１６ｂが形成されている。第１頂部開口１１１では、本体１０１の幅方向中央部において頂面部１０３から底面部１０４に向かって延びるブラシ挿入のための案内溝１２０が形成されている。
【００１８】
蓋１０２は、頂面部１０３のスライド溝１１６ａ，１１６ｂに嵌合して後端面部１０７ｂから前端面部１０７ａへ向かっての前進と、それとは逆の方向への後退とが可能なスライド式のもので、第１頂部開口１１１とほぼ同じ大きさの第１円孔１２１と、第２頂部開口１１２とほぼ同じ大きさの第２円孔１２２と、折曲部１２３とを有する。折曲部１２３と本体１０１の後端面部１０７ｂとの間には、折曲部１２３に取り付けられたねじ１３８に支えられたコイルばね１２４が介在して蓋１０２を後端面部１０７ｂから離間するように後方へ向かって付勢している。蓋１０２は、本体１０１の前端面部１０７ａ寄りにねじ部材で形成されたストッパー１２６を有し、このストッパー１２６が前端面部１０７ａに当接することによって図３の状態で停止している。図３、５において、蓋１０２は本体１０１の案内溝１２０の頂部１２８を除いて、第１頂部開口１１１と第２頂部開口１１２のほぼ全体を閉じている。かような案内具１００の本体１０１は、耐薬品性硬質プラスチックからなるブロック部材１３３と、ブロック部材１３３に取り外し可能に嵌合して本体１０１の底面部１０４と、側面部１０６ａ，１０６ｂの一部分と、前端面部１０７ａと後端面部１０７ｂとの一部分とを形成している耐薬品性のゴムその他のエラストマーからなるアタッチメント部材１３４とを有する。ブロック部材１３３に形成された断面が円形の第１、第２透孔１１３，１１４は、アタッチメント部材１３４を貫通するように第１、第２底部開口１１１ａ，１１２ａにまで延びている。
【００１９】
図６、７は、第２洗滌用ブラシ３２の挿入プロセスが示された図５と同様な図である。ただし、これらの図には内視鏡１の操作部２の一部分と、案内具１００に挿入される洗滌用ホース１３９の先端接手部（第１接手部ともいう）１３１と、送気・送水シリンダ８につなげられるべき連結用ホース１４０の先端接手部（第２接手部ともいう）１３２とが併せて示されている。案内具１００が取り付けられるときの内視鏡１の操作部２では、吸引ボタン１２と送気・送水ボタン１３とが外されている。本体１０１において、第１透孔１１３の周面部に形成された案内溝１２０は、頂面部１０３から内視鏡１の挿入部管路７８へ向かって延びるように、第１透孔１１３の中心線Ｃに対して２０°〜４０°の角度で傾斜している。アタッチメント部材１３４には、第１透孔１１３と第２透孔１１４との周囲に、環状の爪部１３６，１３７が形成されており、これら爪部１３６，１３７が内視鏡１の吸引ボタン挿入口７と送気・送水シリンダ８の送気・送水ボタン挿入口９それぞれの周縁部に形成された環状突起部４１，４２に弾性変形下に嵌合離脱する。これら突起部４１，４２と爪部１３６，１３７との嵌合によって案内具１００は、内視鏡１の操作部２に取り付けられる。本体１０１の第１、第２開口１１１，１１２は、ばね１２４に付勢されて後退している蓋１０２によってほとんど閉じた状態にあるが、ブラシ挿入用の案内溝１２０の頂部１２８は第２洗滌用ブラシ３２を挿入可能な程度に開いている。
【００２０】
図６において、第２洗滌用ブラシ３２は、洗滌用ホース１３９に納められて、そのホース１３９の先端部に取り付けられている第１接手部１３１から進出・退却可能に外へ延びている。この第２洗滌用ブラシ３２を案内溝１２０にその頂部１２８から挿入すると、第２洗滌用ブラシ３２はブラシ３２の幅とほぼ同じ幅を有する傾斜した溝１２０と、僅かに開いている頂部１２８とに案内されて内視鏡１の挿入部管路７８へスムーズに進入する。その後に、蓋１０２をばね１２４の付勢に抗して前進させると、蓋１０２の第１円孔１２１と第２円孔１２２とを本体１０１の第１頂部開口１１１と第２頂部開口１１２とに一致させることができる。そこで第１接手部１３１を第１頂部開口１１１へ挿入すれば、この接手部１３１を第１頂部開口１１１から延びた第１透孔１１３に嵌合させることができる。第１接手部１３１は、先端部のテーパを付けられた外周面１３１ａが第１透孔１１３のテーパを付けられた内周面１１３ｂに当接して、それ以上に深く挿入されることがなく、そのときに先端部に取り付けられているＯ−リング１４１は第１透孔１１３の周面に密着している。続いて、本体１０１の第２頂部開口１１２には第２接手部１３２を挿入し、第２透孔１１４に嵌合させる。仮想線で示されるように、この接手部１３２は、テーパを付けられた外周面１３２ａが第２透孔１１４のテーパを付けられた内周面１１４ｂに当接して、それ以上に深く挿入されることがなく、そのときの先端部は底部開口１１２ａを通り抜けて送気・送水シリンダ８へ進入し、先端部のＯ−リング１４２がシリンダ８の内周面に密着している。第２接手部１３２が案内具１００と送気・送水シリンダ８とに嵌合することによって、案内具１００の内視鏡１に対する取り付けが強固になる。このように、第１透孔１１３の内周面１１３ｂと第２透孔１１４の内周面１１４ｂとは、第１接手部１３１と第２接手部１３２とに対するストッパ手段として作用する。
【００２１】
このようにして案内具１００に第１接手部１３１と第２接手部１３２とが嵌合している内視鏡１では、さらに鉗子挿入口１１に第１洗滌用ブラシ３１を挿入してその挿入口１１を閉じると、図２で説明の内視鏡１の洗滌を開始することができる。第２洗滌用ブラシ３２は、挿入部管路７８を洗滌した後に、吸引ボタン挿入口７の近傍にまで一旦後退し、次いでユニバーサルコード部管路８１へ進入することが可能である。
【００２２】
図６において明らかなように、第１接手部１３１と第２接手部１３２とは、それぞれのフランジ１４６，１４７の下方に、これら第１、第２接手部１３１，１３２の周方向へ延びる環状の溝部１４８，１４９を有する。これら第１、第２接手部１３１，１３２が第１、第２透孔１１３，１１４に嵌合すると、ばね１２４に付勢されている蓋１０２では、第１、第２円孔１２１，１２２の周縁部の一部分がそれぞれの接手部１３１，１３２の溝部１４８，１４９に蓋１０２の後退方向から進入して、接手部１３１，１３２が第１、第２透孔１１３，１１４から抜脱することがないようにそれら接手部１３１，１３２に係合する。
【００２３】
再び図６において、第１接手部１３１とホース１３９との内面は、第２洗滌用ブラシ３２を滑らかに前進・後退させることができるように、段差を形成することなくつながっている。ホース１３９は、弾性変形可能なもので、内径Ｐを有する。第１接手部１３１は、変形することがないもので、ホース１３９への挿入先端部１５１における内径Ｑと先端部１５１における外径Ｒとがホース内径Ｐとほぼ一致し、好ましくはプラス・マイナス０．５ｍｍの範囲内で一致している。したがって、その先端部１５１は、図示例の如く鋭角を成しているか、または曲率半径が０．１〜０．５ｍｍ程度の小さな曲面を成している。第１接手部１３１の内周面は内径Ｑが図の下方に向かって小さくなるようにテーパがつけられている。また第１接手部１３１の外周面は外径Ｒが図の下方に向かって大きくなるようにテーパがつけられ、かつ抜け止め用の環状の起伏１５２が設けられている。このように第１接手部１３１とホース１３９とが互いの内周面の間において段差をほとんど形成することがないと、第２洗滌用ブラシ３２が図の上方から下降してきたときに、第１接手部１３１に引っ掛ることがない。
【００２４】
図８は、この発明の実施態様の一例を示す図５と同様な図面である。この案内具１００におけるブロック部材１３３は図５のそれと同じであるが、アタッチメント部材１３４は、図５のそれと異なり、第１、第２透孔１１３，１１４の周縁部に爪部１３６，１３７に代わる環状部１５３，１５４を有し、これら環状部１５３，１５４の外周面には抜け止め用の起伏が形成されている。この案内具１００は、吸引シリンダ６と送気・送水シリンダ８の開口端部形状が、図６に仮想線で示されている吸引ボタン挿入口７と送気・送水ボタン挿入口９とは異なる吸引シリンダ６と送気・送水シリンダ８とに対して使用されて、環状部１５３，１５４が各シリンダ６，８の内周面に密着する。なお、図示例の場合であれば、アタッチメント部材１３４に形成されている第２底部開口１１２ａの内径は第２透孔１１４の内径よりも小さいから、このような案内具１００に対しては、図６に例示の第２接手部１３２よりも上下方向の寸法が短い図８の第２接手部１３２が使用される。後者の第２接手部１３２は、その外周面の少なくとも一部分が、ストッパ手段である第２透孔１１４におけるテーパを付けられた内周面１１４ｂに図の上方から当接してアタッチメント部材１３４を押圧することがない。図６，８のアタッチメント部材１３４は、ゴム等のエラストマーからなるものであればブロック部材１３３に対する着脱が容易であるが、エラストマーに代えて硬質プラスチック等で変形することがないように作ることもできる。
【００２５】
この発明の実施例において、案内具１００は、第１透孔１１３と第２透孔１１４とを有するものであったが、この案内具１００を第１透孔１１３にのみ適用できるものに代えてこの発明を実施することも可能である。その場合には、内視鏡１の送気・送水シリンダ８の送気・送水ボタン挿入口９を案内具１００とは別体のアタッチメントによって、好ましくは給水可能に塞げばよい。図６に例示の第２接手部１３２と図８に例示の第２接手部１３２とは、長さの異なるものであり、このように長さの異なる第２接手部１３２を１台の洗滌装置または洗滌槽で使い分けるときには、第２接手部１３２が一端部に取り付けられている連結用ホース１４０のもう一端部（図示せず）とこの一端部が接続される洗滌装置における給水口とにいわゆるワンタッチカプラを取り付けて、第２接手部１３２の交換作業を容易にすることができる。
【００２６】
【発明の効果】
この発明に係る内視鏡洗滌用ブラシの挿入案内具は、その案内具に形成された案内溝にブラシを挿入するだけで、そのブラシを挿入部管路へ進入させることができるから、内視鏡の洗滌に際してブラシの挿入部管路への挿入が煩雑になるとか、その挿入に格別の熟練を要するとかいうことがない。また、この挿入案内具の使用方法においては、第２透孔に嵌合している第２接手部の先端部が送気・送水シリンダにも嵌合することによって、案内具の内視鏡に対する取り付けが強固になる。
【図面の簡単な説明】
【図１】内視鏡の斜視図。
【図２】内視鏡の断面図。
【図３】案内具の斜視図。
【図４】案内具の分解斜視図。
【図５】案内具の断面図。
【図６】案内具の使用状態を示す図５と同様な図。
【図７】案内具の使用状態を示す図５と同様な図。
【図８】実施態様の一例を示す図５と同様な図。
【符号の説明】
１  内視鏡
２  操作部
６  吸引シリンダ
７  開口端部（吸引ボタン挿入口）
８  送気・送水シリンダ
９  開口端部（送気・送水ボタン挿入口）
３１  洗滌用ブラシ（第１洗滌用ブラシ）
３２  洗滌用ブラシ（第２洗滌用ブラシ）
１００  案内具
１０１  本体
１０２  蓋
１０３  頂面部
１０４  底面部
１１１  頂部開口（第１頂部開口）
１１１ａ  底部開口（第１底部開口）
１１２  頂部開口（第２頂部開口）
１１２ａ  底部開口（第２底部開口）
１１３  第１透孔
１１４  第２透孔
１２０  ブラシ案内溝
１２４  ばね
１２８  頂部
１３１  先端接手部（第１接手部）
１３２  先端接手部（第２接手部）
１３３  ブロック部材
１３４  アタッチメント部材
１３９  洗滌用ホース
１４０  連結用ホース
１４８  溝部
１４９  溝部
Ｃ  中心線
【図１】
2005058258.tif 000003
【図２】
2005058258.tif 000004
【図３】
2005058258.tif 000005
【図４】
2005058258.tif 000006
【図５】
2005058258.tif 000007
【図６】
2005058258.tif 000008
【図７】
2005058258.tif 000009
【図８】
2005058258.tif 000010